(57)【要約】【課題】より精度よくランプ電圧の変化を把握し、これにより放電ランプの異常を判断することのできる放電ランプ点灯装置を提供すること。【解決手段】放電ランプ１を始動させる始動回路２を有して、スイッチ素子の切り替えにより放電ランプ１に電力を供給する電力変換回路３と、スイッチ素子を制御する制御回路４と、放電ランプ１の両端のランプ電圧を検出する電圧検出部５と、放電ランプ１の始動直後の一定時間間隔前後に電圧検出部５の検出から得られる電圧変化量測定値と前記一定時間間隔に対応して予め設定された電圧変化量基準値とを比較して両者のズレにより放電ランプ１の異常を診断する診断部６と、を有する放電ランプ点灯装置において、診断部６を、放電ランプ１の始動後の任意の経過時間における一定時間間隔での電圧変化量測定値と、この一定時間間隔に対応する電圧変化量基準値と、を比較して両者のズレにより放電ランプ１の異常を診断する。【選択図】        図１
2004234924.tif 000002
【特許請求の範囲】
【請求項１】
放電ランプを始動させる始動回路を有して、スイッチ素子の切り替えにより放電ランプに電力を供給する電力変換回路と、スイッチ素子を制御する制御回路と、放電ランプの両端のランプ電圧を検出する電圧検出部と、放電ランプの始動直後の一定時間間隔前後に電圧検出部の検出から得られる電圧変化量測定値と前記一定時間間隔に対応して予め設定された電圧変化量基準値とを比較して両者のズレにより放電ランプの異常を診断する診断部と、を有する放電ランプ点灯装置において、診断部を、放電ランプ始動後の任意の経過時間における一定時間間隔での電圧変化量測定値と、この一定時間間隔に対応する電圧変化量基準値と、を比較して両者のズレにより放電ランプの異常を診断するものであるようにしたことを特徴とする放電ランプ点灯装置。
【請求項２】
前記診断部は、経過時間に対応して一定時間間隔を複数設け、各一定時間間隔において、電圧変化量測定値と電圧変化量基準値とを比較するものであることを特徴とする請求項１記載の放電ランプ点灯装置。
【請求項３】
前記診断部は、放電ランプの消灯後、再度点灯するまでの消灯後経過時間に応じた電圧変化量基準値を有し、放電ランプの消灯後経過時間に応じて、電圧変化量測定値と電圧変化量基準値とを比較するものであることを特徴とする請求項１又は請求項２記載の放電ランプ点灯装置。
【請求項４】
前記診断部は、放電ランプの消灯後、始動回路が動作を開始するまでの消灯後経過時間に応じた電圧変化量基準値を有し、放電ランプの消灯後、始動回路が動作を開始するまでの消灯後経過時間に応じて、電圧変化量測定値と電圧変化量基準値とを比較するものであることを特徴とする請求項１又は請求項２記載の放電ランプ点灯装置。
【請求項５】
前記診断部は、電圧変化量基準値に所定の幅を持つものであることを特徴とする請求項１乃至請求項４記載の放電ランプ点灯装置。
【発明の詳細な説明】
【０００１】
【発明の属する技術分野】
本発明は、放電ランプ点灯装置、特に保護機能を有する放電ランプ点灯装置に関するものである。
【０００２】
【従来の技術】
この種の従来例として本出願人は、特開平９−９２４７４号公報に示されるものを提案している。このものは、放電灯の点灯に必要な電力を供給する給電部およびランプ電圧を検出する電圧検知部を備えた点灯回路と、電圧検出部により検出したランプ電圧に基づいて放電灯の始動および放電灯の寿命を検出する制御回路と、制御回路により放電灯の寿命が検出されたことを報知する報知装置とを備え、制御回路は、放電灯の始動直後から電圧検出部により検出したランプ電圧を一定時間毎にサンプリングするとともに始動直後に検出した最初のサンプリング値を以後のサンプリング値から減算した変化幅を逐次求める変化幅演算部と、変化幅演算部で求めた変化幅をあらかじめ設定してある許容範囲の上限値および下限値と比較して大小関係に応じた出力を発生する比較器と、比較器の出力に基づいて、上記変化幅が上記許容範囲を逸脱したと判断すると報知装置を駆動して寿命の予知報告を行い、上記変化幅が上記許容範囲を逸脱する状態で一定時間継続すると放電灯を消灯させるように点灯回路を制御する判定部とを備えることを特徴としている。
【０００３】
この構成により、ランプ電圧の変動に基づいて放電灯の寿命末期か否かの推定を行い、寿命末期と推定されるとまず予告報知を行うことによって使用者に注意を促し、その後、ランプ電圧が許容範囲を逸脱する状態が一定時間経過していれば、寿命末期に達したものとして放電灯を消灯させることができる。
【０００４】
【特許文献１】
特開平９−９２４７４号公報
【０００５】
【発明が解決しようとする課題】
しかしながら、上記従来例においては、放電ランプの始動直後に検出した最初のサンプリング値を以後のサンプリング値から減算した変化幅を逐次求めているので、放電ランプの始動から時間が経過するほどその変化幅は小さくなり、ランプ電圧の時間的な変化が分かりにくくなることが懸念される。
【０００６】
本発明は、かかる事由に鑑みてなしたものであり、その目的とするところは、より精度よくランプ電圧の変化を把握し、これにより放電ランプの異常を判断することのできる放電ランプ点灯装置を提供することである。
【０００７】
【課題を解決するための手段】
請求項１に係る発明は、放電ランプを始動させる始動回路を有して、スイッチ素子の切り替えにより放電ランプに電力を供給する電力変換回路と、スイッチ素子を制御する制御回路と、放電ランプの両端のランプ電圧を検出する電圧検出部と、放電ランプの始動直後の一定時間間隔前後に電圧検出部の検出から得られる電圧変化量測定値と前記一定時間間隔に対応して予め設定された電圧変化量基準値とを比較して両者のズレにより放電ランプの異常を診断する診断部と、を有する放電ランプ点灯装置において、診断部を、放電ランプ始動後の任意の経過時間における一定時間間隔での電圧変化量測定値と、この一定時間間隔に対応する電圧変化量基準値と、を比較して両者のズレにより放電ランプの異常を診断するものであるようにしたことを特徴とする。
【０００８】
請求項２に係る発明は、請求項１記載の発明において、前記診断部は、経過時間に対応して一定時間間隔を複数設け、各一定時間間隔において、電圧変化量測定値と電圧変化量基準値とを比較するものであることを特徴とする。
【０００９】
請求項３に係る発明は、請求項１又は請求項２記載の発明において、前記診断部は、放電ランプの消灯後、再度点灯するまでの消灯後経過時間に応じた電圧変化量基準値を有し、放電ランプの消灯後経過時間に応じて、電圧変化量測定値と電圧変化量基準値とを比較するものであることを特徴とする。
【００１０】
請求項４に係る発明は、請求項１又は請求項２記載の発明において、前記診断部は、放電ランプの消灯後、始動回路が動作を開始するまでの消灯後経過時間に応じた電圧変化量基準値を有し、放電ランプの消灯後、始動回路が動作を開始するまでの消灯後経過時間に応じて、電圧変化量測定値と電圧変化量基準値とを比較するものであることを特徴とする。
【００１１】
請求項５に係る発明は、請求項１乃至請求項４記載の発明において、前記診断部は、電圧変化量基準値に所定の幅を持つものであることを特徴とする。
【００１２】
【発明の実施の形態】
（第１の実施形態）
第１の実施形態を、図１から図４に基づいて説明する。図１は、第１の実施形態の基本構成図である。図２は、第１の実施形態の回路図である。図３は、第１の実施形態の第１の動作波形図である。図４は、第１の実施形態の第２の動作波形図である。
【００１３】
本実施形態は、図１に示すように放電ランプ１を始動させる始動回路２を有して、スイッチ素子の切り替えにより放電ランプ１に電力を供給する電力変換回路３と、スイッチ素子を制御する制御回路４と、放電ランプ１の両端のランプ電圧を検出する電圧検出部５と、放電ランプ１の始動直後の一定時間間隔前後に電圧検出部５の検出から得られる電圧変化量測定値と前記一定時間間隔に対応して予め設定された電圧変化量基準値とを比較して両者のズレにより放電ランプ１の異常を診断する診断部６と、を有する放電ランプ点灯装置において、診断部６を、放電ランプ１の始動後の任意の経過時間における一定時間間隔での電圧変化量測定値と、この一定時間間隔に対応する電圧変化量基準値と、を比較して両者のズレにより放電ランプ１の異常を診断するものであるようにしたものである。
放電ランプ１は、たとえば図２に示すように、バルブ内部に水銀と始動用の希ガスとハロゲン化金属が封入された発光管９を有するメタルハライドランプであり、後述する電力変換回路３に接続されている。
【００１４】
始動回路２は、放電ランプ１を始動させるための高電圧を発生させるもので、たとえば、パルス発生回路１０及びトランスＰＴを有し、パルス発生回路１０は、トランスＰＴの１次側に接続され、トランスＰＴの２次側は、スイッチ素子Ｓ３とスイッチ素子Ｓ４の接続部と放電ランプ１に接続されている。
【００１５】
電力変換回路３は、スイッチ素子Ｓ１〜Ｓ６の切り替えにより電源から放電ランプ１に電力を供給するもので、整流部１１、ＰＦＣ回路１２、出力電力変換回路１３、インバータ回路１４が直列に接続されて構成されている。整流部１１は、交流電源の交流電圧を整流するもので、ダイオードブリッジで構成されており、整流部１１の入力端子は電源に接続され、出力端子はＰＦＣ回路１２に接続されている。
【００１６】
ＰＦＣ回路１２は、電源から取りこむ電流波形を正弦波状に整形し、また直流電圧を出力するもので、整流部１１の出力端子にインダクタＬ１とダイオードＤ１とが直列に接続され、インダクタＬ１とダイオードＤ１の接続部とグランド間には、スイッチ素子Ｓ１が接続されている。また、ダイオードＤ１のカソード側にはコンデンサＣ１が接続されている。
【００１７】
出力電力変換回路１３は、ＰＦＣ回路１２の出力電圧を受けて放電ランプ１に供給する電力を調整するもので、ＰＦＣ回路１２の出力端子にスイッチ素子Ｓ２とインダクタＬ２が直列に接続され、スイッチ素子Ｓ２とインダクタＬ２の接続部とグランドＧ間には、ダイオードＤ２が接続されている。また、インダクタＬ２の負荷側には、コンデンサＣ２が接続されている。
【００１８】
インバータ回路１４は、出力電力変換回路１３の出力電圧を受けて交流に変換するもので、スイッチ素子Ｓ３とスイッチ素子Ｓ４の直列回路が、出力電力変換回路１３の出力端子間に接続されている。また、スイッチ素子Ｓ３とスイッチ素子Ｓ４の直列回路に並列にスイッチ素子Ｓ５とスイッチ素子Ｓ６の直列回路が接続されている。
【００１９】
制御回路４は、ＰＦＣ制御回路１５、出力制御回路１６、インバータ制御回路１７、イグナイタ制御回路１８からなるものである。ＰＦＣ制御回路１５は、電源から取りこむ電流波形を正弦波状に整形し、また直流電圧を出力するため、スイッチ素子Ｓ１のスイッチングを制御するもので、後述する診断部６及びスイッチ素子Ｓ１のゲートに接続されている。出力制御回路１５は、ＰＦＣ回路１２の出力電圧を受けて放電ランプ１に供給する電力を調整するため、スイッチ素子Ｓ２のスイッチングを制御するもので、後述する診断部６及びスイッチ素子Ｓ２のゲートに接続されている。インバータ制御回路１７は、出力電力変換回路１３の直流出力電圧を交流電圧に変換するため、スイッチ素子Ｓ３及びスイッチ素子Ｓ６と、スイッチ素子Ｓ４及びスイッチ素子Ｓ５を交互にスイッチングするように制御するもので、後述する診断部６及びスイッチ素子Ｓ３〜６のゲートに接続されている。イグナイタ制御回路１８は、パルス発生回路１０を制御するもので、後述する診断部６及びスイッチＳＷを介してパルス発生回路１０に接続されている。
【００２０】
電圧検出部５は、ランプ電圧の波形のピーク値を検出するもので、比較回路８及び電力変換回路３の出力に接続されている。
【００２１】
比較回路８は、放電ランプ１の始動後、電圧検出部５が一定時間毎に検出したランプ電圧から得られる一定時間間隔における電圧変化量測定値を、記憶部７が予め記憶している電圧変化量基準値と比較するものである。
【００２２】
記憶部７は、放電ランプ１の始動後の一定時間間隔の電圧変化量基準値を記憶するものでたとえばＥＥＰＲＯＭ等から構成され、比較回路８及び後述する始動後経過時間タイマ１９に接続されている。
【００２３】
始動後経過時間タイマ１９は、放電ランプ始動後の経過時間を計時するもので、記憶部７及び始動検出部２０に接続されている。
【００２４】
始動検出部２０は、放電ランプ１が始動したことを検出するもので、制御回路４、始動後経過時間タイマ１９及び電力変換回路３の出力部に接続されている。
【００２５】
つぎに、本実施形態の動作について説明する。図３は、本実施形態の動作波形図を示すもので、（ａ）は電力変換回路３の出力電圧波形、（ｂ）は電圧検出部５が検出した波形を示している。ここで、電圧検出部５は、出力電圧波形のピーク値を検出している。
【００２６】
電源が投入されると整流部１１は交流電源の交流電圧を整流する。そして、ＰＦＣ回路１２は、スイッチ素子Ｓ１をスイッチングすることにより電源から取りこむ電流波形を正弦波状に整形し、また所望の直流電圧に変換し、コンデンサＣ１は、所定の電圧値にまで充電される。出力電力変換回路１３は、ＰＦＣ回路１２の出力電圧を受けて放電ランプ１に供給する電力を調整する。その後、スイッチ素子Ｓ３及びスイッチ素子Ｓ６と、スイッチ素子Ｓ４及びスイッチ素子Ｓ５を交互にスイッチングすることにより、図３に示すように出力電圧波形は、矩形波の交流電圧波形となる。そして、始動回路２が、パルス電圧を放電ランプ１に印加することにより、放電ランプ１が始動し点灯する。始動検出部２０は、電力変換回路３の出力電圧により、放電ランプ１が始動したことを検出し、始動後経過時間タイマ１９に検出信号を出力する。そして、始動後経過時間タイマ１９は、放電ランプ１の始動後の経過時間を計時し、記憶部７に始動開始後の経過時間を出力する。
【００２７】
記憶部７は、始動後経過時間タイマ１９から始動開始後の経過時間を受け、比較回路８に経過時間に対応する一定時間間隔の電圧変化量基準値を出力する。比較回路８は、記憶部７が出力する一定時間間隔の電圧変化量基準値と電圧検出部５が検出する電圧に基づいて得られる一定時間間隔の電圧変化量測定値を比較する。
【００２８】
そして、電圧検出部５が検出した電圧に基づいて得られる一定時間間隔の電圧変化量測定値と記憶部７が出力する一定時間間隔の電圧変化量基準値とがずれている場合には、放電ランプ１の異常であると判断する。たとえば図３において一定時間間隔がｔｕ１の場合には、記憶部７の出力はΔＶであり、このΔＶと、電圧検出部５が検出する電圧に基づいて得られる一定時間間隔の電圧変化量測定値を比較して、放電ランプ１の異常を判別するのである。ここで、一定時間間隔ｔｕ１の開始時間は、放電ランプ１の特性に応じて、異常の判別がし易い開始時間を選択すればよい。
【００２９】
また、診断部６は、経過時間に対応して一定時間間隔を複数設け、各一定時間間隔において、電圧変化量測定値と電圧変化量基準値とを比較するものであってもよい。図４は、一定時間間隔を複数設けた場合の動作波形図を示すものである。この場合には、表１に示すように、放電ランプ１の始動後、電圧検出部５の電圧検出部波形が次第に立ち上がる期間において、一定時間間隔がｔｕ１のみではなく、一定時間間隔ｔｕ２及びｔｕ３の複数個を設定している。
【００３０】
【表１】
2004234924.tif 000003
【００３１】
そして、前述と同様の動作により、一定時間間隔ｔｕ１において、記憶部７に入力されている電圧変化量基準値ΔＶ１と電圧検出部５が検出する電圧に基づいて得られる電圧変化量測定値を比較する。続いて、一定時間間隔ｔｕ２において、記憶部７に入力されている電圧変化量基準値ΔＶ２と電圧検出部５が検出する電圧に基づいて得られる電圧変化量測定値を比較する。さらに、一定時間間隔ｔｕ３において、記憶部７に入力されている電圧変化量基準値ΔＶ３と電圧検出部５が検出する電圧に基づいて得られる電圧変化量測定値を比較する。以上のように、電圧検出部５が電圧検出部波形の立ち上がり時において、複数の一定時間間隔を設けて、それぞれの一定時間間隔において、電圧変化量基準値と、電圧検出部５が検出する電圧に基づいて得られる電圧変化量測定値を比較することにより、放電ランプ１の特性に応じて任意の一定時間間隔における電圧変化量基準値と比較でき、放電ランプ１の異常を精度良く判別することができる。
【００３２】
（第２の実施形態）
つぎに、第２の実施形態について、図５から図７に基づいて説明する。
図５は第２の実施形態の基本構成図である。図６は第２の実施形態の動作波形図である。図７は第２の実施形態の別例の動作波形図である。
【００３３】
本実施形態における診断部６は、放電ランプ１の消灯後、再度点灯するまでの消灯後経過時間に応じた電圧変化量基準値を有し、放電ランプ１の消灯後経過時間に応じて、電圧変化量測定値と電圧変化量基準値とを比較するものであり、ンプ１の消灯後経過時間を計時する消灯後経過時間タイマ３０を設け、消灯後経過時間タイマ３０を記憶部７と、始動後経過時間タイマ１９と始動検出部２０との接続点に接続した点が、第１の実施形態と異なり、他は同じである。また、記憶部７には、表２に示すように、消灯後経過時間が長い順に消灯後経過時間経過後時間Ｔ１，Ｔ２，Ｔ３に対応する電圧変化量基準値が記憶されている。
【００３４】
【表２】
2004234924.tif 000004
【００３５】
このように、消灯後経過時間経過後時間に対応して電圧変化量基準値を設けたのは、以下の理由による。すなわち、放電ランプ１の点灯時には、発光管９は高温、高圧になる。消灯後経過時間が短い場合には、再始動時に発光管９の温度が比較的高く、発光管９の蒸気圧は安定点灯時の状態に近いので、短い時間で安定した点灯に移行する。これにより、ランプ電圧の立ち上がりは早くなる。一方、消灯後経過時間が長い場合には、発光管９の温度が比較的低くなり、発光管９の蒸気圧は安定点灯時に比べて十分に低下し、安定した点灯に至るまでには、長時間を要する。この現象を、図６に示す。図６により、放電ランプ１の消灯後経過時間Ｔ１、Ｔ２、Ｔ３についてＴ１＞Ｔ２＞Ｔ３の関係があった場合に、ランプ電圧の立ち上がりは、遅い順にＴ１、Ｔ２、Ｔ３となるのである。ここで、消灯後経過時間がＴ１の場合の電圧変化の基準値は、放電ランプ１の始動時に近い順から、Δ１１、Δ２１、Δ３１である。また、消灯後経過時間がＴ２の場合の電圧変化の基準値は、放電ランプ１の始動時に近い順から、Δ１２、Δ２２、Δ３２である。そしてまた、消灯後経過時間がＴ３の場合の電圧変化の基準値は、放電ランプ１の始動時に近い順から、Δ１３、Δ２３、Δ３３である。
【００３６】
つぎに本実施形態の動作について説明する。なお、基本的な動作については第１の実施形態と同じであるので説明を省略する。
【００３７】
消灯後経過時間タイマ３０は、放電ランプ１が消灯したことを電圧検出部５の電圧検出部波形から検知し、消灯後経過時間の計時を開始する。その後、再び放電ランプ１が始動すると、始動検出部２０は、電力変換回路３の出力電圧により、放電ランプ１が始動したことを検出し、消灯後経過時間タイマ３０は計時を停止する。そして、消灯後経過時間タイマ３０は、計時した消灯経過時間を、記憶部７に出力する。記憶部７は、表２に示す電圧変化量基準値及び一定時間間隔の関係を記憶しており、消灯後経過時間タイマ３０が出力した消灯経過時間を受け、消灯経過時間に対応する電圧変化量基準値を選択する。そして、記憶部７は、消灯経過時間に対応する電圧変化量基準値を比較回路８に出力する。そして、比較回路８には、電圧検出部５が検出したランプ電圧値及び始動後経過時間タイマ１９から得られる経過時間が入力されて一定時間間隔における電圧変化量測定値が算出される。
【００３８】
また、比較回路８には、記憶部７から、消灯経過時間に対応する電圧変化量基準値が入力される。比較回路８は、記憶部７から入力された電圧変化量基準値と電圧検出部５の検出により得られた電圧変化量測定値を比較し、検出により得られた電圧変化量測定値が、電圧変化量基準値に納まらない場合には、放電ランプ１が異常であると判別する。ここで、記憶部６は、電圧変化量基準値に所定の幅を持っており、この所定の幅は、放電ランプ１そのものの特性のバラツキ、周囲の温度及び放電ランプが取り付けられる照明器具の形態により定める。たとえば、図７に示すように、電圧変化量の標準値をΔＶａとすると、これに対応する上限値ΔＶｂ及び下限値ΔＶｃを設定し、上限値ΔＶｂ及び下限値ΔＶｃで決まる範囲から外れる場合には、放電ランプ１の異常であると判別するのである。
【００３９】
なお、本実施形態においては、放電ランプ１の消灯後、放電ランプ１が再び始動するまでの消灯経過時間により、電圧変化量基準値を選択するようにしたが、放電ランプ１の始動回路２が動作を開始した後、放電ランプ１が始動するまでの時間は、始動回路１の出力によりほぼ一定となるので、前記診断部６は、放電ランプ１の消灯後、始動回路２が動作を開始するまでの消灯後経過時間に応じた電圧変化量基準値を有し、放電ランプ１の消灯後、始動回路２が動作を開始するまでの消灯後経過時間に応じて、電圧変化量測定値と電圧変化量基準値とを比較するものであるようにしてもよい。
【００４０】
【発明の効果】
請求項１に係る発明は、放電ランプを始動させる始動回路を有して、スイッチ素子の切り替えにより放電ランプに電力を供給する電力変換回路と、スイッチ素子を制御する制御回路と、放電ランプの両端のランプ電圧を検出する電圧検出部と、放電ランプの始動直後の一定時間間隔前後に電圧検出部の検出から得られる電圧変化量測定値と前記一定時間間隔に対応して予め設定された電圧変化量基準値とを比較して両者のズレにより放電ランプの異常を診断する診断部と、を有する放電ランプ点灯装置において、診断部を、放電ランプ始動後の任意の経過時間における一定時間間隔での電圧変化量測定値と、この一定時間間隔に対応する電圧変化量基準値と、を比較して両者のズレにより放電ランプの異常を診断するものであるようにしたので、放電ランプの始動から、時間が経過しても、電圧変化量の変化幅が小さくなることがなく、精度良く放電ランプの異常を判別することができる。
【００４１】
請求項２に係る発明は、請求項１記載の発明において、前記診断部は、経過時間に対応して一定時間間隔を複数設け、各一定時間間隔において、電圧変化量測定値と電圧変化量基準値とを比較するものであるようにしたので、請求項１の発明に比して、より精度よく放電ランプの異常を判別することができる。
【００４２】
請求項３に係る発明は、請求項１又は請求項２記載の発明において、前記診断部は、放電ランプの消灯後、再度点灯するまでの消灯後経過時間に応じた電圧変化量基準値を有し、放電ランプの消灯後経過時間に応じて、電圧変化量測定値と電圧変化量基準値とを比較するものであるようにしたので、消灯後経過時間に応じて変化する放電ランプの特性に応じて、より精度よく放電ランプの異常を判別することができる。
【００４３】
請求項４に係る発明は、請求項１又は請求項２記載の発明において、前記診断部は、放電ランプの消灯後、始動回路が動作を開始するまでの消灯後経過時間に応じた電圧変化量基準値を有し、放電ランプの消灯後、始動回路が動作を開始するまでの消灯後経過時間に応じて、電圧変化量測定値と電圧変化量基準値とを比較するものであるようにしたので、放電ランプの始動を検出しなくても、始動回路の始動を把握することで、より精度よく放電ランプの異常を判別することができる。
【００４４】
請求項５に係る発明は、請求項１乃至請求項４記載の発明において、前記診断部は、電圧変化量基準値に所定の幅を持つものであるようにしたので、周囲温度又は器具の形態のバラツキの影響を受けにくくなり、より精度良く放電ランプの異常を判別することができる。
【図面の簡単な説明】
【図１】第１の実施形態の基本構成図である。
【図２】第１の実施形態の回路図である。
【図３】第１の実施形態の第１の動作波形図である。
【図４】第１の実施形態の第２の動作波形図である。
【図５】第２の実施形態の基本構成図である。
【図６】第２の実施形態の動作波形図である。
【図７】第２の実施形態の別例の動作波形図である。
【符号の説明】
１  放電ランプ
２  始動回路
３  電力変換回路
４  制御回路
５  電圧検出部
６  診断部
７  記憶部
８  比較回路
【図１】
2004234924.tif 000005
【図２】
2004234924.tif 000006
【図３】
2004234924.tif 000007
【図４】
2004234924.tif 000008
【図５】
2004234924.tif 000009
【図６】
2004234924.tif 000010
【図７】
2004234924.tif 000011